(57)【要約】      （修正有）【課題】自身の身体を支持したり、もたれたりして、起床・就床・起立・着座・歩行等の補助に用いる介助装置であって、使用者の必要に応じ、水平方向位置、上下方向位置及び水平方向角度を選択して介助補助体を取り付けて固定し、必要に応じ別の箇所又は角度に変更して、動作の補助に使用し得る介助装置及びその介助補助体を提供する。【解決手段】本体Ｂは、両支柱部Ｂ１、上部水平連結部Ｂ２、上中間水平連結部Ｂ３ａ、下中間水平連結部Ｂ３ｂ及び垂直連結部Ｂ４からなる。両支柱部Ｂ１の基部を固定部Ｄ１に連結することにより本体Ｂを基盤Ｄに対し起立支持させる。介助補助体Ｃは、一対の棒状体Ｃ１、棒状連結部Ｃ２及び固定部Ｃ３を備える。周方向に分割した固定部Ｃ３を支柱部Ｂ１又は垂直連結部Ｂ４に外嵌し、分割箇所を螺子締め固定することにより、支柱部Ｂ１に対し固定する。【選択図】図１
0003197414.tif 000002
【実用新案登録請求の範囲】
【請求項１】
本体と介助補助体を有してなる介助装置であって、
前記本体は、把持部および／または手摺部を備える介助部を有すると共に、その介助部又は介助部以外の部分に垂直棒状部を有し、
前記介助補助体は、平行状をなす一対の棒状体と、両棒状体をそれらの先端部又はその近傍部において連結する連結部と、前記両棒状体をそれらの各基端部において前記本体の垂直棒状部に固定するための固定部を備え、
前記固定部を、前記垂直棒状部のうち所望の同一水平方向位置の上下２箇所に対し、前記棒状体が平面視において前記本体に対し所望の角度となるよう固定することにより、前記一対の棒状体が上下平行に水平状をなすように前記介助補助体が前記本体に対し固定されるものであることを特徴とする介助装置。
【請求項２】
同一の又は異なる複数の介助補助体を有し、それらの介助補助体の各固定部を、上記本体における異なる又は同一の水平方向位置の垂直棒状部に固定することにより、前記複数の介助補助体が、異なる又は同一の水平方向位置において前記本体に対し固定されるものである請求項１記載の介助装置。
【請求項３】
上記垂直棒状部が、支柱および／または支柱以外の部分である請求項１又は２記載の介助装置。
【請求項４】
上記固定部が、周方向において分割した円筒状部であって、垂直棒状部に外嵌し、外嵌状態で分割箇所を締結固定することにより、垂直棒状部を締め付けてその垂直棒状部に対し固定するものである請求項１、２又は３記載の介助装置。
【請求項５】
把持部および／または手摺部を備える介助部を有すると共に、その介助部又は介助部以外の部分に垂直棒状部を有する本体に対し固定して使用するための介助補助体であって、
平行状をなす一対の棒状体と、両棒状体をそれらの先端部又はその近傍部において連結する連結部と、前記両棒状体をそれらの各基端部において前記本体の垂直棒状部に固定するための固定部を備え、
前記固定部を、前記垂直棒状部のうち所望の同一水平方向位置の上下２箇所に対し、前記棒状体が平面視において前記本体に対し所望の角度となるよう固定することにより、前記一対の棒状体が上下平行に水平状をなすように前記本体に対し固定されるものであることを特徴とする介助補助体。
【請求項６】
上記固定部が、周方向において分割した円筒状部であって、垂直棒状部に外嵌し、外嵌状態で分割箇所を締結固定することにより、垂直棒状部を締め付けてその垂直棒状部に対し固定するものである請求項５記載の介助装置。
【考案の詳細な説明】
【技術分野】
【０００１】
本考案は、自身の身体を支持したり、もたれたりして、起床・就床・起立・着座・歩行等の動作の補助に用いられる介助装置及びその介助装置において使用される介助補助体に関する。
【背景技術】
【０００２】
特開２０１１−８７８０３号公報には、ベッドのサイドフレームに固定されて被介助者がベッドから転落するのを防止するとともに手すりとなる介助レールに水平方向回動可能に取付けられて被介助者がベッドから転落するのを防止するとともに手すりとなる介助アームが記載されている。
【０００３】
また登録実用新案第３１８１９６６号公報に記載されている動作補助装置は、離床、就床又はその他の動作、例えば、ベッド若しくはその他の寝床又は椅子等についての離床、就床、起立、着席、その他各種動作等のための動作補助装置であって、基体と回動体を備えるものである。
【０００４】
使用者は、離床、就床又はその他の動作の際、介助アーム或いは回動体を適切な角度に設定して介助アーム又は回動体の適宜位置を把持等することにより、介助アーム又は回動体をそれらの動作の補助として利用することができる。
【０００５】
しかしながら、これらの介助アーム又は回動体の水平方向位置及び上下方向位置については、必ずしも使用者の必要に応じ選択して固定し得るものではなかった。
【先行技術文献】
【特許文献】
【０００６】
【特許文献１】特開２０１１−８７８０３号公報
【特許文献２】登録実用新案第３１８１９６６号公報
【考案の概要】
【考案が解決しようとする課題】
【０００７】
本考案は、従来技術に存した上記のような課題に鑑み行われたものであって、その目的とするところは、自身の身体を支持したり、もたれたりして、起床・就床・起立・着座・歩行等の動作の補助に用いる介助装置であって、使用者の必要に応じ、水平方向位置、上下方向位置及び水平方向角度を選択して介助補助体を取り付けて固定し、また必要に応じ別の箇所又は角度に変更して、動作の補助に使用することができる介助装置及びその介助補助体を提供することにある。
【課題を解決するための手段】
【０００８】
本発明の介助装置及び介助補助体は、次のように表すことができる。
【０００９】
(1) 本体と介助補助体を有してなる介助装置であって、
前記本体は、把持部および／または手摺部を備える介助部を有すると共に、その介助部又は介助部以外の部分に垂直棒状部を有し、
前記介助補助体は、平行状をなす一対の棒状体と、両棒状体をそれらの先端部又はその近傍部において連結する連結部と、前記両棒状体をそれらの各基端部において前記本体の垂直棒状部に固定するための固定部を備え、
前記固定部を、前記垂直棒状部のうち所望の同一水平方向位置の上下２箇所に対し、前記棒状体が平面視において前記本体に対し所望の角度となるよう固定することにより、前記一対の棒状体が上下平行に水平状をなすように前記介助補助体が前記本体に対し固定されるものであることを特徴とする介助装置。
【００１０】
把持部および／または手摺部を備える介助部を有する本体における、所望の同一水平方向位置の垂直棒状部の所望の上下２箇所に対し、介助補助体の両棒状体の各基端部に位置する固定部を、両棒状体が平面視において本体に対し所望の角度となるよう固定することにより、前記一対の棒状体が上下平行に水平状をなす状態で、介助補助体を前記本体に対し使用に耐え得るよう強固に固定することが可能である。
【００１１】
介助装置を使用して自身の身体を支持したり、もたれたりして、起床・就床・起立・着座・歩行等の動作の補助に用いる使用者の必要に応じ、固定対象とする垂直棒状部、上下方向位置及び本体に対する角度をそれぞれ選択して、先端部又はその近傍部において連結部により連結された上下平行に水平状をなす一対の棒状体を備える介助補助体を本体における必要な箇所に必要な角度で取り付けて固定し、また必要に応じ別の箇所又は角度に変更して、動作の補助に使用することができる。
【００１２】
(2) 同一の又は異なる複数の介助補助体を有し、それらの介助補助体の各固定部を、上記本体における異なる又は同一の水平方向位置の垂直棒状部に固定することにより、前記複数の介助補助体が、異なる又は同一の水平方向位置において前記本体に対し固定されるものである上記(1)記載の介助装置。
【００１３】
この場合、同一の又は異なる複数の介助補助体を、使用者の必要に応じ、異なる又は同一の水平方向位置における所望の上下方向位置において、本体に対し平面視において所望の角度で固定して動作の補助に使用することができる。
【００１４】
(3) 上記垂直棒状部が、支柱および／または支柱以外の部分である上記(1)又は(2)記載の介助装置。
【００１５】
垂直棒状部は、支柱及び支柱以外の部分の何れか一方であってもよく、それら両方であってもよい。
【００１６】
(4) 上記固定部が、周方向において分割した円筒状部であって、垂直棒状部に外嵌し、外嵌状態で分割箇所を締結固定することにより、垂直棒状部を締め付けてその垂直棒状部に対し固定するものである上記(1)、(2)又は(3)記載の介助装置。
【００１７】
(5) 把持部および／または手摺部を備える介助部を有すると共に、その介助部又は介助部以外の部分に垂直棒状部を有する本体に対し固定して使用するための介助補助体であって、
平行状をなす一対の棒状体と、両棒状体をそれらの先端部又はその近傍部において連結する連結部と、前記両棒状体をそれらの各基端部において前記本体の垂直棒状部に固定するための固定部を備え、
前記固定部を、前記垂直棒状部のうち所望の同一水平方向位置の上下２箇所に対し、前記棒状体が平面視において前記本体に対し所望の角度となるよう固定することにより、前記一対の棒状体が上下平行に水平状をなすように前記本体に対し固定されるものであることを特徴とする介助補助体。
【００１８】
把持部および／または手摺部を備える介助部を有する本体における、所望の同一水平方向位置の垂直棒状部の所望の上下２箇所に対し、介助補助体の両棒状体の各基端部に位置する固定部を、両棒状体が平面視において本体に対し所望の角度となるよう固定することにより、前記一対の棒状体が上下平行に水平状をなすように介助補助体を前記本体に対し使用に耐え得るよう強固に固定することが可能である。
【００１９】
介助装置を使用して自身の身体を支持したり、もたれたりして、起床・就床・起立・着座・歩行等の動作の補助に用いる使用者の必要に応じ、固定対象とする垂直棒状部、上下方向位置及び本体に対する角度をそれぞれ選択して、先端部又はその近傍部において連結部により連結された上下平行に水平状をなす一対の棒状体を備える介助補助体を本体における必要な箇所に必要な角度で取り付けて固定し、また必要に応じ別の箇所又は角度に変更して、動作の補助に使用することができる。
【００２０】
(6) 上記固定部が、周方向において分割した円筒状部であって、垂直棒状部に外嵌し、外嵌状態で分割箇所を締結固定することにより、垂直棒状部を締め付けてその垂直棒状部に対し固定するものである(5)記載の介助装置。
【考案の効果】
【００２１】
本考案の介助装置及び介助補助体においては、介助装置を使用して自身の身体を支持したり、もたれたりして、起床・就床・起立・着座・歩行等の動作の補助に用いる使用者の必要に応じ、固定対象とする垂直棒状部、上下方向位置及び本体に対する角度をそれぞれ選択して、先端部又はその近傍部において連結部により連結された上下平行に水平状をなす一対の棒状体を備える介助補助体を本体における必要な箇所に必要な角度で取り付けて固定し、また必要に応じ別の箇所又は角度に変更して、動作の補助に使用することができる。
【図面の簡単な説明】
【００２２】
【図１】介助装置の斜視図である。
【図２】図１の介助装置における介助補助体の拡大斜視図である。
【図３】図２の介助補助体の固定部の拡大斜視図である。
【図４】別の介助装置の斜視図である。
【図５】図４の介助装置における介助補助体の拡大斜視図である。
【図６】別の介助装置の斜視図である。
【図７】図６の介助装置における介助補助体の拡大斜視図である。
【考案を実施するための形態】
【００２３】
[1] 本考案の実施の形態を、図面を参照しつつ説明する。
【００２４】
図面は本考案の介助装置及び介助補助体の実施の形態の例に関するものである。
【００２５】
(1) 図１の例において、介助装置Ａは、本体Ｂと１つの介助補助体Ｃを有してなる。介助補助体Ｃは、本体Ｂに固定して使用するものである。
【００２６】
(1-1) 本体Ｂは、ベッド若しくはその他の寝床又は椅子等についての離床、就床、起立、着席、その他各種動作等の補助ために用いられるものである。
【００２７】
本体Ｂは、一対の支柱部Ｂ１と、両支柱部Ｂ１の上端部同士を連結する上部水平連結部Ｂ２と、それぞれ両支柱部Ｂ１の上下方向中間部同士を連結する上中間水平連結部Ｂ３ａ及び下中間水平連結部Ｂ３ｂと、上部水平連結部Ｂ２と上中間水平連結部Ｂ３ａの水平方向中間部を連結する垂直連結部Ｂ４からなるフレーム状をなす。その主な構成部材は筒状材料製である。
【００２８】
床面上に載置される長方形平板状の基盤Ｄにおける、本体Ｂの両支柱部Ｂ１同士の距離に対応する距離を挟んだ複数箇所（一方の長辺に沿った両端部及び中間部並びに他方の長辺に沿った一端部及び中間部）に、支持体Ｅを着脱可能に固定し得る固定部Ｄ１が設けられている。
【００２９】
基盤Ｄとベッド等との位置関係に応じて選択した２箇所の固定部Ｄ１に支持体Ｅを固定し、本体Ｂの両支柱部Ｂ１の基部を各固定部Ｄ１に連結することにより、本体Ｂを基盤Ｄに対し起立支持させることができる。支柱部Ｂ１は、起立状態で支持体Ｅに対し固定し得ると共に、その固定を解除して支持体Ｅに対し９０度回動させることにより、支柱部Ｂ１を伏倒状態とすることもできる。また、本体Ｂの高さは、両支柱部Ｂ１のうち上中間水平連結部Ｂ３ａよりも下方の部分を伸縮することにより変更することができる。
【００３０】
基盤Ｄに対し起立支持された状態の本体Ｂにおける支柱部Ｂ１、上部水平連結部Ｂ２、上中間水平連結部Ｂ３ａ、下中間水平連結部Ｂ３ｂ及び垂直連結部Ｂ４が、それぞれ把持部として介助部を構成する。なお、上部水平連結部Ｂ２は手摺部としても機能し得る。
【００３１】
本体Ｂは、手摺部及び把持部を備えた介助部において自身の身体を支持したり、もたれたりして、起床・就床・起立・着座・歩行等の動作の補助に用いられる。
【００３２】
この例においては、基盤Ｄに対し起立支持された状態の本体Ｂにおける介助部のうち両支柱部Ｂ１及び垂直連結部Ｂ４が、異なる３つの水平方向位置における垂直棒状部を構成する。
【００３３】
(1-2) 介助補助体Ｃは、平行状をなす一対の筒状の棒状体Ｃ１と、両棒状体Ｃ１をそれらの先端部において連結する棒状連結部Ｃ２と、両棒状体Ｃ１をそれらの各基端部において本体Ｂの支柱部Ｂ１又は垂直連結部Ｂ４に固定するための固定部Ｃ３を備える。
【００３４】
固定部Ｃ３は、周方向において分割した円筒状部であって、一方の支柱部Ｂ１のうち上部水平連結部Ｂ２と上中間水平連結部Ｂ３ａの間の連続した部分に外嵌し、外嵌状態で分割箇所を螺子Ｆで締結固定することにより、支柱部Ｂ１を締め付けてその支柱部Ｂ１に対し固定している。円筒状をなす固定部Ｃ３の分割は、基端側の１８０度中心角部分である基端側部Ｃ３ａと棒状体Ｃ１側の１８０度中心角部分である棒状体側部Ｃ３ｂで行われている。また、固定部Ｃ３は、垂直連結部Ｂ４に対し外嵌固定することもできる。
【００３５】
両棒状体Ｃ１の各固定部Ｃ３を、支柱部Ｂ１又は垂直連結部Ｂ４の所望の上下２箇所（同一水平方向位置の２箇所）に対し、両棒状体Ｃ１が平面視において本体Ｂに対し所望の角度となるよう固定することにより、一対の棒状体Ｃ１が上下平行に水平状をなすように本体Ｂに対し固定される。図１においては、棒状体Ｃ１は、その軸線方向が、上部水平連結部Ｂ２、上中間水平連結部Ｂ３ａ及び下中間水平連結部Ｂ３ｂの軸線方向と平行な状態で描かれているが、棒状体Ｃ１の軸線方向は、平面視において本体Ｂに対し物理的に可能な任意の角度で固定することができる。
【００３６】
介助補助体Ｃは、起床・就床・起立・着座・歩行等の動作の補助に用いる使用者の必要に応じ、本体Ｂにおける水平方向位置、上下方向位置及び本体Ｂに対する角度を設定又は変更することができ、本体Ｂと共に、自身の身体を支持したり、もたれたりして、起床・就床・起立・着座・歩行等の動作の補助に用いることができる。
【００３７】
(2) 図４の例の介助装置Ａが図１の例と異なる主な点は次の点である。
【００３８】
本体Ｂにおいて、中間水平連結部Ｂ３を上下方向位置の異なる３箇所に有し、垂直連結部Ｂ４を有しない。
【００３９】
介助補助体Ｃにおいて、一対の筒状の棒状体Ｃ１の基端部近傍が、棒状の基端連結部Ｃ４により垂直方向に連結されることにより、介助補助体Ｃの剛性及び強度が高められている。
【００４０】
また、上側の固定部Ｃ３は、一方の支柱部Ｂ１のうち上部水平連結部Ｂ２と中間水平連結部Ｂ３のうち最上位置のものの間の部分に外嵌固定され、下側の固定部Ｃ３は、その支柱部Ｂ１のうち最上位置の中間水平連結部Ｂ３と上から２番目の位置の中間水平連結部Ｂ３の間の部分に外嵌固定されている。
【００４１】
(3) 図６の例の介助装置Ａが図１の例と異なる主な点は次の点である。
【００４２】
本体Ｂにおいて、両支柱部Ｂ１同士の距離が２倍であり、上部水平連結部Ｂ２と上中間水平連結部Ｂ３ａの水平方向中間部を連結する垂直連結部Ｂ４が存在せず、上中間水平連結部Ｂ３ａの位置が高く、上中間水平連結部Ｂ３ａと下中間水平連結部Ｂ３ｂを、それらを軸線方向に等分する３箇所でそれぞれ連結する３本の垂直連結部Ｂ４を有する。
【００４３】
介助補助体Ｃにおいて、一対の筒状の棒状体Ｃ１の上下方向距離及び棒状連結部Ｃ２の長さが長い。
【００４４】
また、上側の固定部Ｃ３は、一方の支柱部Ｂ１のうち上部水平連結部Ｂ２と上中間水平連結部Ｂ３ａの間の部分に外嵌固定され、下側の固定部Ｃ３は、その支柱部Ｂ１のうち上中間水平連結部Ｂ３ａと下中間水平連結部Ｂ３ｂの間の部分に外嵌固定されている。
【００４５】
[2] 本考案の実施の形態を、上記以外の形態を含めて更に説明する。
【００４６】
(1) 本考案の介助装置は、本体と介助補助体を有してなる。
【００４７】
また本考案の介助補助体は、本体に固定して使用するためのものである。
【００４８】
(2) 本体は、介助補助体が固定されるものであり、介助部を有する。
【００４９】
本体は、その介助部において自身の身体を支持したり、もたれたりして、起床・就床・起立・着座・歩行等の動作の補助に用いられる。本体を構成する材料は、このような使用に十分に耐えるための強度や剛性等の物性を備えることを要する。
【００５０】
介助部は、手摺部及び把持部の一方又は両方を少なくとも有するが、それ以外の部分を有するものであってもよい。介助部の全体又は一部が本体の他の部分に対し可動（回動等）であってもよい。
【００５１】
本体は、介助部又は介助部以外の部分に垂直棒状部を有する。本体は、異なる２以上の水平方向位置に垂直棒状部を有するものであることが好ましい。垂直棒状部は、例えば、本体を支持する支柱部であってもよく、支柱部以外の部分であってもよい。
【００５２】
本体は、例えば、床面等の上に載置される基盤、ベッドの枠体等、又は建築物の構造体や家具により支持された、フレーム状、支柱状、筒状等をなすものとすることができる。本体は、基盤又はその他の本体を支持するものに対し、固定されたものとすることができる他、折り畳み又は着脱可能なものとすることもできる。
【００５３】
(3) 介助補助体は、平行状をなす一対の棒状体（例えば、中実棒状体であってもよく、筒状体のように中空棒状体でもよい）と、両棒状体をそれらの先端部又はその近傍部において連結する連結部と、前記両棒状体をそれらの各基端部において前記本体の垂直棒状部に固定するための固定部を備える。前記固定部を、前記垂直棒状部のうち所望の同一水平方向位置の上下２箇所に対し、前記棒状体が平面視において前記本体に対し所望の角度となるよう固定することにより、前記一対の棒状体が上下平行に水平状をなすように前記本体に対し固定される。
【００５４】
１つの介助補助体における両固定部は、例えば、同一の垂直棒状部における他の部材等による区切りのない連続した部分に両者を固定すること、同一の垂直棒状部における他の部材等により区切られた別々の部分にそれぞれ固定すること、同一水平方向位置の別個の複数の垂直棒状部にそれぞれ固定することができる。
【００５５】
同一の又は異なる複数の介助補助体（介助補助体を３以上有する場合、全ての介助補助体が同一又は互いに異なるものであってもよく、同一の複数の介助補助体と異なる介助補助体が混合したものであってもよい。）を有するものとすることもできる。異なる介助補助体としては、例えば、平行状をなす一対の棒状体同士の距離が異なるもの、一対の棒状体及び連結部の少なくとも何れかの太さ、長さ、断面形状、全体形状、素材等が異なるもの、固定部の寸法等が異なり外径若しくは外周寸法等が異なる垂直棒状部に固定し得るもの等を挙げることができるが、これらに限るものではない。
【００５６】
複数の介助補助体の各固定部は、本体における異なる水平方向位置の垂直棒状部に固定することにより、複数の介助補助体が、異なる水平方向位置において本体に対し固定されるものとすることができる。
【００５７】
或いは、複数の介助補助体の各固定部は、本体における同一の水平方向位置の垂直棒状部に固定することにより、複数の介助補助体が、同一の水平方向位置において本体に対し平面視において互いに異なる角度で固定されるものとすることもできる。この場合、例えば、一つの介助補助体の両固定部の何れよりも上方又は下方に他の介助補助体の二つの固定部の両方が位置するものとすること、又は、一つの介助補助体の両固定部の上下方向位置の間に他の介助補助体の二つの固定部の両方若しくは一方が位置するものとすることができる。
【００５８】
３以上の介助補助体のうち２以上を、１つの本体に対し同一の水平方向位置において固定し、他の１以上を、異なる水平方向位置において固定することもできる。
【００５９】
棒状体は、直線状のものとすることができるが、例えば、本体に対し固定された状態で水平面内若しくは垂直面内において又はその他の態様で、湾曲したもの、屈曲部を有するもの、又は波形状をなすものとすることもできる。
【００６０】
平行状をなす一対の棒状体は、同様の形態及び材料からなるものであることが好ましいが、必ずしもこれに限るものではない。
【００６１】
連結部は、平行状をなす一対の棒状体をそれらの先端部又はその近傍部において連結するものであり、例えば、直線状又はその他の形状の棒状をなすものとすることができる。両棒状体がそれらの各基端部において本体の垂直棒状部に固定された状態において、好ましくは、連結部は垂直状をなすものとすることができる。
【００６２】
両棒状体をそれらの各基端部において前記本体の垂直棒状部に固定するための固定部は、例えば、垂直棒状部に外嵌した状態で垂直棒状部を締め付けるようにして固定することができるものとすることができる。
【００６３】
そのような固定部としては、例えば、周方向において複数箇所で分割した筒状部（円筒状、多角形筒状等）、或いは、周方向の一箇所にヒンジ部を設け、他の周方向の一箇所で分割した筒状部（円筒状、多角形筒状等）であって、垂直棒状部に外嵌し得、外嵌状態で分割箇所を締結固定し、垂直棒状部を締め付けてその垂直棒状部に固定することができるものとすることができる。
【００６４】
介助装置を使用して自身の身体を支持したり、もたれたりして、起床・就床・起立・着座・歩行等の動作の補助に用いる使用者の必要に応じ、本体における固定対象とする垂直棒状部、上下方向位置及び本体に対する角度を選択して、先端部又はその近傍部において連結部により連結された上下平行に水平状をなす一対の棒状体を備える介助補助体を本体における必要な箇所に必要な角度で取り付けて固定し、また必要に応じ別の箇所又は角度に変更して、動作の補助に使用することができる。介助補助体を構成する材料は、このような使用に十分に耐えるための強度や剛性等の物性を備えることを要する。
【符号の説明】
【００６５】
Ａ      介助装置
Ｂ      本体
Ｂ１    支柱部
Ｂ２    上部水平連結部
Ｂ３    中間水平連結部
Ｂ３ａ  上中間水平連結部
Ｂ３ｂ  下中間水平連結部
Ｂ４    垂直連結部
Ｃ      介助補助体
Ｃ１    棒状体
Ｃ２    棒状連結部
Ｃ３    固定部
Ｃ３ａ  基端側部
Ｃ３ｂ  棒状体側部
Ｃ４    基端連結部
Ｄ      基盤
Ｄ１    固定部
Ｅ      支持体
Ｆ      螺子
【図１】
0003197414.tif 000003
【図２】
0003197414.tif 000004
【図３】
0003197414.tif 000005
【図４】
0003197414.tif 000006
【図５】
0003197414.tif 000007
【図６】
0003197414.tif 000008
【図７】
0003197414.tif 000009